(57)【要約】【課題】回路構成の削減を図った補間フィルタ装置を備えたＯＦＤＭ用の受信装置と回路構成の削減を図ったフィルタ装置を実現すること。【解決手段】本発明にかかる受信装置は、４個の信号の中からＳＰ信号を取出す取出部４１と、乗算器４２と、ＳＰ信号の位置するタップに応じた係数を選択する係数選択器４３と、加算器４４とを有するシンボルフィルタ４０を備える。本発明では、ＳＰ信号に対応する係数を選択する係数選択器４３を備えることによって、係数毎に乗算器４２を備える必要はなく、乗算器４２の個数を削減することができる。このため、シンボルフィルタ４０の回路構成の削減が可能となる。【選択図】      図４
2005033407.tif 000002
【特許請求の範囲】
【請求項１】
振幅、位相が既知のパイロット信号が周波数軸上および時間軸上に所定の間隔で配置されるＯＦＤＭ信号を受信する手段と、前記パイロット信号を用いて受信データ信号の補間データを生成するフィルタと、前記補間データを用いて周波数領域と時間領域との等化を行う等化手段とを備えた受信装置において、
前記フィルタは、
複数の信号の中から取り出した前記パイロット信号に乗ずべき乗算係数を、複数の係数の中から選択する係数選択手段と、
前記所定の間隔に対応する信号個数に対して一個の割合で配置され、前記パイロット信号と前記乗算係数とを乗算する複数の乗算手段と、
前記乗算手段の乗算結果を加算する加算手段と、
を備え、前記加算手段から前記補間データを出力することを特徴とする受信装置。
【請求項２】
第１および第２の複数の前記フィルタを備え、
前記第１のフィルタは、時間軸方向または周波数方向のいずれか一方に対して補間データを生成し、
前記第２のフィルタは、前記第１のフィルタにタンデム接続され、前記パイロット信号と前記第１のフィルタが生成した補間データとを用いて、他方の時間方向または周波数方向に対して補間データを生成することを特徴とする請求項１に記載の受信装置。
【請求項３】
前記第１のフィルタの前記係数選択手段は、時間方向または周波数方向のいずれか一方の前記パイロット信号の配置割合に応じた個数の前記係数の中から前記乗算係数を選択し、
前記第２のフィルタの前記係数選択手段は、他方の時間方向または周波数方向の前記パイロット信号の配置割合に応じた個数の前記係数の中から前記乗算係数を選択することを特徴とする請求項２に記載の受信装置。
【請求項４】
前記パイロット信号の配置位置を演算し、演算結果に応じて前記パイロット信号を周波数軸上および時間軸上に配置する配列手段を備えたことを特徴とする請求項１〜３のいずれか一つに記載の受信装置。
【請求項５】
前記配列手段は、
前記所定の間隔を隔てて配置する任意の２箇所の信号の振幅強度の乗算値を順次演算し、該乗算値の絶対値が最大となる２箇所の信号を検出し、この検出した信号をもとに先頭の前記パイロット信号の配置位置を求めることを特徴とする請求項４に記載の受信装置。
【請求項６】
前記配列手段は、
先頭の前記パイロット信号の配置位置に基づき、先頭の前記パイロット信号に対して前記所定の間隔で配置する他の前記パイロット信号の配置位置を演算することを特徴とする請求項４または５に記載の受信装置。
【請求項７】
前記配列手段は、
前記パイロット信号の配置位置に対応した前記乗算係数を指示する選択信号を、前記係数選択手段に送信することを特徴とする請求項４〜６のいずれか一つに記載の受信装置。
【請求項８】
前記係数選択手段は、
受信した前記選択信号に基づいて前記乗算係数を選択することを特徴とする請求項７に記載の受信装置。
【請求項９】
前記係数選択手段は、
前記選択信号の受信間隔に同期して、前記乗算係数を選択するマルチプレクサであることを特徴とする請求項７または８に記載の受信装置。
【請求項１０】
前記係数選択手段は、
前記係数の個数と同数の遅延素子の段数を有し、前記選択信号の受信間隔に同期して、選択順に配置した前記係数を順次移動するシフトレジスタであることを特徴とする請求項７または８に記載の受信装置。
【請求項１１】
振幅、位相が既知であるパイロット信号が周波数軸上および時間軸上に所定の間隔で配置されるＯＦＤＭ信号を受信する受信装置に備えられ、前記パイロット信号を用いて受信データ信号の補間データを生成するフィルタ装置において、
複数の信号の中から取り出した前記パイロット信号に乗ずべき乗算係数を、複数の係数の中から選択する係数選択手段と、
前記所定の間隔に対応する信号個数に対して一個の割合で配置され、前記パイロット信号と前記乗算係数を乗算する乗算手段と、
前記乗算係数の乗算結果を加算する加算手段と、
を備えたことを特徴とするフィルタ装置。
【発明の詳細な説明】
【０００１】
【発明の属する技術分野】
この発明は、直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘ  ：  ＯＦＤＭ）の受信装置に関し、特に回路構成が簡易である補間フィルタを備えた受信装置および回路構成が簡易であるフィルタ装置に関するものである。
【０００２】
【従来の技術】
近年、デジタル信号を伝送する方式として、ＯＦＤＭ方式が提案されている。このＯＦＤＭ方式は、伝送帯域内に多数の直交する副搬送波（サブキャリア）を設け、それぞれのサブキャリアの振幅および位相にデータを割り当て、ＰＳＫ（Ｐｈａｓｅ  Ｓｈｉｆｔ  Ｋｅｙｉｎｇ）やＱＡＭ（Ｑｕａｄｒａｔｕｒｅ  Ａｍｐｌｉｔｕｄｅ  Ｍｏｄｕｌａｔｉｏｎ）によりデジタル変調する方式である。
【０００３】
ＯＦＤＭ方式では、サブキャリアの間隔は各サブキャリアが干渉しない最小の間隔である直交周波数間隔であり、高い周波数利用効率を実現できる。また、１シンボルあたりの時間が長いためシンボルの時間長に対する相対的なマルチパスの時間を短くすることができマルチパス妨害に強い。このため、ＯＦＤＭ方式はデジタル地上波放送やデジタル移動体通信への利用が検討されている。このＯＦＤＭ方式を採用したデジタル地上波放送として、たとえばヨーロッパではＤＶＢ−Ｔ（Ｄｉｇｉｔａｌ  Ｖｉｄｅｏ  Ｂｒｏａｄｃａｓｔｉｎｇ−Ｔｅｒｒｅｓｔｒｉａｌ）や、日本ではＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）といった規格が提案されている。
【０００４】
ここで、伝送時にマルチパス等の影響によりサブキャリア毎に異なる歪みが生じると、サブキャリア毎の振幅および位相の特性が異なるものとなってしまう。このため、受信側では、サブキャリア毎の振幅および位相が等しくなるように受信信号を等化する必要がある。ＯＦＤＭ方式では、送信側で伝送信号中に所定の振幅および所定の位相のパイロット信号を伝送シンボル内に散在させておき、受信側でこのパイロット信号の振幅と位相とを用いて受信データ信号の補間データを求め、この補間データを用いて受信データ信号を等化する。
【０００５】
このパイロット信号には、伝送シンボルによらず同一の周波数のサブキャリアで伝送されるコンティニュアル・パイロット（ｃｏｎｔｉｎｕａｌ  ｐｉｌｏｔ  ：  ＣＰ）信号と、伝送シンボル毎に異なった周波数のサブキャリアで伝送されるスキャッタード・パイロット（ｓｃａｔｔｅｒｅｄ  ｐｉｌｏｔ  ：  ＳＰ）信号がある。ＤＶＢ−Ｔ規格やＩＳＤＢ−Ｔ規格では、キャリア（周波数）方向の１２本のサブキャリアに１本の割合でＳＰ信号が挿入され、シンボル（時間）方向の同一のサブキャリアに対して４シンボル毎に１回の割合でＳＰ信号が挿入される。このＳＰ信号を用いて補間データを算出する場合、シンボル方向に補間データを生成した後に、キャリア方向に補間データを生成し、全てのサブキャリアの補間データを求めている。以下に、補間データの生成処理について説明する。
【０００６】
まず、図２５に示すように、補間データ生成部１０２のシンボルフィルタ１０３には、ＦＦＴ演算部１０１によってＯＦＤＭ信号から抽出されたパイロット信号が入力される。そして、シンボルフィルタ１０３は、パイロット信号を用いてシンボル方向に補間データを算出する。この結果、全てのシンボルに対して、キャリア方向に３キャリア毎に補間データを生成することができる。続いて、シンボル方向に補間した補間データとパイロット信号とがキャリア方向の補間フィルタであるキャリアフィルタ１０４に入力される。キャリアフィルタ１０４は、入力信号を用いてキャリア方向の補間処理を行い、シンボル内の全キャリアの補間データを求める。この結果、受信したＯＦＤＭ信号の全てのサブキャリアに対して補間データを求めることができる。そして、複素除算器１０６は、ＦＦＴバッファ１０５から出力されたデータ信号を補間データ生成部１０２が生成した補間データで除算することで、遅延波による影響（振幅及び位相の変化）を補正した等化データを出力することが可能となる。
【０００７】
従来、シンボルフィルタおよびキャリアフィルタとして、ＦＩＲ（Ｆｉｎｉｔｅ  Ｉｍｐｕｌｓｅ  Ｒｅｓｐｏｎｓｅ）フィルタやＩＩＲ（Ｉｎｆｉｎｉｔｅ  Ｉｍｐｕｌｓｅ  Ｒｅｓｐｏｎｓｅ）フィルタといったデジタルフィルタが用いられる。図２６は、従来のＦＩＲフィルタの構成を示す図である。ＦＩＲフィルタ１１０は、遅延素子１１１ａ〜１１１ｅと、タップ数と同数の乗算器１１２ａ〜１１２ｇと、加算器１１４とを備える。そして、各係数ｋ１〜ｋｎは、遅延素子の中心位置にあるサブキャリアに対する補間データを算出するために予め設定されている。順次入力された信号は、１番目の乗算器１１２ａと１番目の遅延素子１１１ａに分配される。そして、１番目の乗算器１１２ａに送られた信号は、この乗算器１１２ａによって係数ｋ１と乗算されて加算器１１４へ送られる。そして、１番目の遅延素子１１１ａに送られた信号は、間隔Ｔだけ遅延された後、再び分配され、２番目の乗算器１１２ｂと２番目の遅延素子１１１ｂに送られる。このとき、１番目の乗算器１１２ａには次の信号が入力される。
【０００８】
上述したように、順次遅延された信号とそれに対応する係数とを乗算器１１２が乗算演算し、１番目の信号と１番目の係数との乗算値からｎ番目の信号とｎ番目の係数との乗算値までを全て加算器１１４で加算したものが、補間データとして出力される。この結果、ＦＩＲフィルタ１１０は、シンボル内の各サブキャリアに対する補間データを算出することができる。このように、シンボルフィルタとキャリアフィルタとを用いて２次元的な補間処理を施すことにより、全てのサブキャリアの補間データを受信側で算出することが可能となる（特許文献１参照）。
【０００９】
【特許文献１】
特開平１１−１６３８２２号公報
【００１０】
【発明が解決しようとする課題】
ところで、補間フィルタとして用いるＦＩＲフィルタ１１０は、タップ数を増やせば、より高精度なフィルタを構成することができることとなる。しかしながら、従来のＦＩＲフィルタ１１０では、タップ数の増加に伴い乗算器１１２の個数も増加させる必要がある。このため、回路規模が大きくなり製造コストが増加するという問題があった。
【００１１】
また、パイロット信号が配置されていない部分は、０信号が挿入された後、ＦＩＲフィルタ１１０によって演算処理される。この場合、有効となる乗算演算を行っている乗算器はパイロット信号が入力される乗算器のみであり、たとえばシンボルフィルタでは全タップ数の１／４にすぎない。一方、それ以外の乗算器の演算結果はすべて、挿入された０信号との積、すなわち０となっている。そして、加算器は、０である演算結果を含めた全ての乗算器の出力を加算演算することとなる。このように、０が挿入されたデータ部分の乗算結果は結局０であるため、不要な演算が発生しているという問題があった。
【００１２】
この発明は、上記した従来技術の欠点に鑑みてなされたものであり、不要な演算処理を排除し、回路構成の削減を図った補間フィルタを備えたＯＦＤＭ用の受信装置と、回路構成の削減を図ったフィルタ装置とを提供することを目的とする。
【００１３】
【発明が解決しようとする手段】
請求項１にかかる受信装置は、振幅、位相が既知のパイロット信号が周波数軸上および時間軸上に所定の間隔で配置されるＯＦＤＭ信号を受信する手段と、前記パイロット信号を用いて受信データ信号の補間データを生成するフィルタと、前記補間データを用いて周波数領域と時間領域との等化を行う等化手段とを備えた受信装置において、前記フィルタは、複数の信号の中から取り出した前記パイロット信号に乗ずべき乗算係数を、複数の係数の中から選択する係数選択手段と、前記所定の間隔に対応する信号個数に対して一個の割合で配置され、前記パイロット信号と前記乗算係数とを乗算する複数の乗算手段と、前記乗算手段の乗算結果を加算する加算手段と、を備え、前記加算手段から前記補間データを出力することを特徴とする。
【００１４】
本発明にかかる受信装置によれば、複数の係数からパイロット信号に乗ずべき乗算係数を選択する係数選択手段を設けることによって、乗算器の個数を削減した補間フィルタを備えたＯＦＤＭ用の受信装置を提供することが可能である。
【００１５】
請求項２にかかる受信装置は、第１および第２の複数の前記フィルタを備え、前記第１のフィルタは、時間軸方向または周波数方向のいずれか一方に対して補間データを生成し、前記第２のフィルタは、前記第１のフィルタにタンデム接続され、前記パイロット信号と前記第１のフィルタが生成した補間データとを用いて、他方の時間方向または周波数方向に対して補間データを生成することを特徴とする。
【００１６】
請求項３にかかる受信装置は、前記第１のフィルタの前記係数選択手段は、時間方向または周波数方向のいずれか一方の前記パイロット信号の配置割合に応じた個数の前記係数の中から前記乗算係数を選択し、前記第２のフィルタの前記係数選択手段は、他方の時間方向または周波数方向の前記パイロット信号の配置割合に応じた個数の前記係数の中から前記乗算係数を選択することを特徴とする。
【００１７】
請求項４にかかる受信装置は、前記パイロット信号の配置位置を演算し、演算結果に応じて前記パイロット信号を周波数軸上および時間軸上に配置する配列手段を備えたことを特徴とする。
【００１８】
請求項５にかかる受信装置は、前記配列手段は、前記所定の間隔を隔てて配置する任意の２箇所の信号の振幅強度の乗算値を順次演算し、該乗算値の絶対値が最大となる２箇所の信号を検出し、この検出した信号をもとに先頭の前記パイロット信号の配置位置を求めることを特徴とする。
【００１９】
請求項６にかかる受信装置は、前記配列手段は、先頭の前記パイロット信号の配置位置に基づき、先頭の前記パイロット信号に対して前記所定の間隔で配置する他の前記パイロット信号の配置位置を演算することを特徴とする。
【００２０】
請求項７にかかる受信装置は、前記係数選択手段は、受信した前記選択信号に基づいて前記乗算係数を選択することを特徴とする。
【００２１】
請求項８にかかる受信装置は、前記係数選択手段は、受信した前記選択信号に基づいて前記乗算係数を選択することを特徴とする。
【００２２】
請求項９にかかる受信装置は、前記係数選択手段は、前記選択信号の受信間隔に同期して、前記乗算係数を選択するマルチプレクサであることを特徴とする。
【００２３】
請求項１０にかかる受信装置は、前記係数選択手段は、前記係数の個数と同数の遅延素子の段数を有し、前記選択信号の受信間隔に同期して、選択順に配置した前記係数を順次移動するシフトレジスタであることを特徴とする。
【００２４】
請求項１１にかかるフィルタ装置は、振幅、位相が既知であるパイロット信号が周波数軸上および時間軸上に所定の間隔で配置されるＯＦＤＭ信号を受信する受信装置に備えられ、前記パイロット信号を用いて受信データ信号の補間データを生成するフィルタ装置において、複数の信号の中から取り出した前記パイロット信号に乗ずべき乗算係数を、複数の係数の中から選択する係数選択手段と、前記所定の間隔に対応する信号個数に対して一個の割合で配置され、前記パイロット信号と前記乗算係数を乗算する乗算手段と、前記乗算係数の乗算結果を加算する加算手段と、を備えたことを特徴とする。
【００２５】
【発明の実施の形態】
以下に図面を参照して、この発明にかかる実施の形態である受信装置について説明する。なお、この実施の形態によりこの発明が限定されるものではない。また、図面の記載において、同一部分には同一の符号を付している。
【００２６】
まず、ＯＦＤＭ方式のデジタル信号（ＯＦＤＭ信号）の受信装置について説明する。図１は、本実施の形態であるＯＦＤＭ信号の受信装置の概要構成を示すブロック図である。図１に示すように、受信装置１は、アンテナ２と、チューナ３と、Ａ／Ｄ変換部４と、デジタル直交復調部５と、ＦＦＴ演算部６と、ＦＦＴバッファ７と、補間データ生成部８と、複素除算部９とを備える。
【００２７】
送信装置から送信されたデジタル信号は、受信装置１のアンテナ２によって受信され、ＲＦ信号としてチューナ３に入力される。チューナ３は、ＲＦ信号をＩＦ信号に周波数変換し、Ａ／Ｄ変換部４に出力する。Ａ／Ｄ変換部４は、ＩＦ信号をデジタル化し、デジタル直交復調部５に出力する。デジタル直交復調部５は、所定の周波数のキャリア信号を用いて、デジタル化されたＩＦ信号を直交復調し、ベースバンドのＯＦＤＭ信号を出力する。ＦＦＴ演算部６は、ベースバンドのＯＦＤＭ信号に対してＦＦＴ演算を行って周波数領域の信号に変換し、演算したＯＦＤＭ信号をＦＦＴバッファ７に出力する。ＦＦＴバッファ７は、ＯＦＤＭ信号を保持するメモリ７ａを備え、補間データ生成部８の出力タイミングに合わせてメモリ７ａに保持した信号を複素除算部９に出力する。また、補間データ生成部８は、モニタ１０と、座標演算部２０と、メモリ３０と、シンボルフィルタ４０とキャリアフィルタ５０とを備える補間フィルタ６０と、を備え、ＯＦＤＭ信号から読み出したパイロット信号を用いてデータ信号の位相等化および振幅等化を行うための補間データを算出し、算出した補間データを複素除算部９に出力する。複素除算部９は、ＦＦＴバッファ７から入力されたＯＦＤＭ信号を補間データ生成部８から入力された補間データで除算することで等化後のデータを得る。
【００２８】
ここで、補間データ生成部８が読み出すＯＦＤＭ信号について説明する。図２は、ＯＦＤＭ信号を説明するための配置パターン図である。ＤＶＢ−Ｔ規格やＩＳＤＢ−規格では、キャリア方向（周波数方向）に１２個の信号に１個の割合でＳＰ信号を配置する。このため、キャリア方向に対して、同一シンボルの信号列には１２キャリアに１回の割合でＳＰ信号が配置される。また、ＳＰ信号をシンボル毎に３個ずつキャリア方向にシフトさせて配置する。この結果、シンボル方向（時間方向）に対して、同一キャリアの信号列には４シンボルに１回の割合でＳＰ信号が配置される。したがって、ＯＦＤＭ信号には、データ信号（図中では「○」で示す。）中に上述した所定の周期でＳＰ信号（図中では「●」で示す。）が配置される。また、図２に示すように、ＯＦＤＭ信号は、データ信号とＳＰ信号とが規則的に配置する領域Ａをシンボル方向およびキャリア方向に所定数配置した配置パターンを有する。ここで、データ信号が配置する箇所（○）が、補間データ生成部８が補間データを生成する補間対象部となる。なお、図２に示すように最終キャリアにはシンボル方向に対して１列にＣＰ信号が配置される。
【００２９】
つぎに、補間データ生成部８がパイロット信号を用いて補間データを生成する動作について説明する。モニタ１０がＦＦＴ演算部６から出力されたＯＦＤＭ信号を読み出し、座標演算部２０がＯＦＤＭ信号に含まれるパイロット信号の配置位置を演算し、ＳＰ信号を抽出し、メモリ３０に出力する。そして、シンボルフィルタ４０がメモリ３０から入力されたパイロット信号を用いてシンボル方向に補間データを生成する。次いで、キャリアフィルタ５０がパイロット信号とシンボルフィルタ４０が生成した補間データとを用いてキャリア方向に補間データを生成する。この結果、全ての補間対象部に対して補間データを生成することができる。
【００３０】
図２に示すように、ＳＰ信号は規則的に配置するため、先頭のＳＰ信号の配置位置を検出すると、先頭のＳＰ信号の配置位置に基づき他のＳＰ信号の配置を把握することができる。以下に、先頭のＳＰ信号の配置位置を検出し、他のＳＰ信号の配置位置を演算する座標演算部２０について説明する。図３は、座標演算部２０の構成を示すブロック図である。座標演算部２０は、１３段シフトレジスタ２１と、乗算器２２と、絶対値検出部２３と、メモリ２４と、最大値検出部２５と、シンボルカウンタ２６ａとキャリアカウンタ２６ｂとを有する座標計算部２６と、抽出部２７とを備える。
【００３１】
まず、１３段シフトレジスタ２１は、モニタ１０が読み出すＯＦＤＭ信号をキャリア方向に先頭から順次入力する。乗算器２２は、１３段シフトレジスタ２１が信号をシフトする毎に１３段シフトレジスタ２１の１段目と１３段目とに入力される信号の振幅強度を乗算する。乗算器２２は乗算値を絶対値検出部２３に出力し、絶対値検出部２３は入力された乗算値の絶対値を検出し、メモリ２４に出力する。ここで、ＳＰ信号はキャリア方向に対して１２個に１個の割合で配置される。また、ＳＰ信号の振幅強度は他のデータ信号の値よりも大きい。このため、１段目と１３段目とにＳＰ信号が入力された場合、乗算器２２が出力する乗算値の絶対値は、連続する１２個の乗算値の範囲で最大値となる。最大値検出部２５は、メモリ２４が保持する乗算値の中から最大値を検出することによって、先頭のＳＰ信号とキャリア方向に次に配置するＳＰ信号とを検出することができ、先頭のＳＰ信号の配置位置を求めることが可能となる。
【００３２】
そして、シンボルカウンタ２６ａが先頭のＳＰ信号の配置位置に基づいて、シンボル方向に順次ＳＰ信号の配置位置を演算する。ＳＰ信号はシンボル方向に４シンボルに１個の割合で配置するため、シンボルカウンタ２６ａは２ビットカウンタでもよいし、２ビット以上のカウンタのカウント数を４で割った余りを算出する演算器でもよい。そして、キャリアカウンタ２６ｂは先頭のＳＰ信号の配置位置に基づいてキャリア方向に順次ＳＰ信号の配置位置を演算する。ＳＰ信号はキャリア方向に１２キャリアに１個の割合で配置するため、キャリアカウンタ２６ｂは４ビットカウンタでもよいし、４ビット以上のカウンタのカウント数を１２で割った余りを算出する演算器でもよい。
【００３３】
そして、抽出部２７は、モニタ１０が読み出したＯＦＤＭ信号から座標演算部２６が演算した配置位置に基づいてＳＰ信号を抽出する。抽出部２７は、ＳＰ信号以外の箇所に０信号を挿入し、パイロット信号と０信号とを時間軸上および周波数軸上に配置した状態でパイロット信号と０信号とをメモリ３０に出力する。メモリ３０は、各信号を保持し、パラレル信号の状態でシンボルフィルタに出力する。
【００３４】
シンボルフィルタ４０は、入力されたＳＰ信号と０信号との中から、ＳＰ信号を用いてシンボル方向に補間データを生成する。図４はシンボルフィルタ４０の構成を示すブロック図である。図４に示すように、シンボルフィルタ４０はタップ数がｎであり、遅延素子Ｄ１〜Ｄｎ−１と、取出部４１ａ〜４１ｄと、乗算器４２ａ〜４２ｄと、係数選択器４３ａ〜４３ｄと、加算器４４とを備える。また、信号が入力される入力端子４５と、生成した補間データを出力する出力端子４６とを備える。ここで、取出部４１ａ〜４１ｄと乗算器４２ａ〜４２ｄと係数選択器４３ａ〜４３ｄとは、４タップに一箇所の割合で配置される。ＳＰ信号はシンボル方向に対して４個の信号のうち１個の割合で配置され、ＳＰ信号以外の信号は抽出部２７が挿入した０信号でありシンボルフィルタ４０の演算に関与しないためである。なお、取出部４１ａ〜４１ｄと乗算器４２ａ〜４２ｄと係数選択器４３ａ〜４３ｄとは、総タップ数に応じて１〜３タップに一箇所の割合で配置されるものもある。
【００３５】
遅延素子Ｄ１〜Ｄｎ−１は、所定の間隔Ｔだけ入力された信号を遅延させる。取出部４１ａ〜４１ｄは、選択信号を受信して４個の信号からＳＰ信号を取出し、接続するそれぞれの乗算器４２ａ〜４２ｄに取出したＳＰ信号を出力する。また、４個の係数を有しており、選択信号を受信してＳＰ信号に対応する係数を選択し、乗算器４２ａ〜４２ｄに出力する。係数選択器４３ａ〜４３ｄが有する係数ｋ１〜ｋｎは、中心タップの補間対象部に対する補間データを算出するために予め設定されている。ここで、取出部４１と係数選択器４３とが受信する選択信号は、座標演算部２０から出力され、ＳＰ信号の配置位置を示すものである。そして、乗算器４２ａ〜４２ｄは、取出部４１ａ〜４１ｄが取出したＳＰ信号と係数選択器４３ａ〜４３ｄが選択した係数とを乗算し、乗算値を加算器４４に出力する。つぎに、加算器４４は、乗算器４２ａ〜４２ｄが出力した乗算値を全て加算する。シンボルフィルタ４０は、加算器４４が加算した加算値をシンボル方向の補間データとしてキャリアフィルタ５０に出力する。なお、係数選択器４３は、図５に示すように、選択信号を受信して、所定の係数の中から指示された係数を選択するマルチプレクサ４３１を備えた構造を有している。
【００３６】
つぎに、シンボルフィルタ４０が実際に行う演算処理について説明する。たとえば、タップ数が３１であるシンボルフィルタ４０が１５シンボル目の補間対象部に対して補間データを生成する場合について説明する。
【００３７】
図６は、シンボル方向の補間データ生成について説明するための図である。図６には、シンボルフィルタ４０に入力される信号の配置パターン図とともに、各信号に対応するタップとその係数を示している。補間対象部は「○」であり、ＳＰ信号は「●」である。図６に示すように、補間対象となる１５シンボル目の信号が中心の１５タップに位置するように入力信号が配置される。この場合、たとえば、０シンボル目に位置するＳＰ信号には係数ｋ３１が対応し、１シンボル目に位置するＳＰ信号には係数ｋ３０が対応する。以下、各信号の配置位置を（ｌ，ｋ）（ここでｌはシンボル番号、ｋはサブキャリア番号を表す。）として表す。
【００３８】
また、（１５，０）の補間対象部の補間データの生成には、補間対象部と同一キャリアである領域ＬａのＳＰ信号と、ＳＰ信号が位置するタップに対応する係数とを用いる。また、（１５，３）の補間対象部の補間データの生成には、（１５，３）と同一キャリアである領域ＬｂのＳＰ信号と、ＳＰ信号が位置するタップに応じた係数とを用い、同様に、（１５，６）の補間対象部の補間データの生成には領域ＬｃのＳＰ信号とＳＰ信号が位置するタップに応じた係数とを用いる。
【００３９】
このため、（１５，０）の補間対象部の補間データの生成には、（０，０）、（４，０）、（８，０）、（１２，０）、（１６，０）、（２０，０）、（２４，０）、（２８，０）に位置するＳＰ信号と、このＳＰ信号が位置するタップに応じた係数ｋ３１、ｋ２７、ｋ２３、ｋ１９、ｋ１５、ｋ１１、ｋ７、ｋ３とを用いる。したがって、図７に示すように、取出部４１ａ〜４１ｄはＳＰ信号を取出し、係数選択器４３ａ〜４３ｄはＳＰ信号が位置するタップに応じた係数を選択する。たとえば、取出部４１ｄは３０タップに位置する（０，０）のＳＰ信号を取出し、係数選択器４３ｄはＳＰ信号が位置する３０タップに応じた係数ｋ３１を選択する。そして、乗算器４２ａ〜４２ｄは、入力されたＳＰ信号のデータと係数とを乗算し、それぞれ乗算値を加算器４４に出力する。加算器４４が入力された乗算値を全て加算した加算値が補間データＨ（１５，０）となる。
【００４０】
したがって、出力される補間データＨ（１５，０）は数式１に示す演算を行い求められることとなる。
【数１】
2005033407.tif 000003
【００４１】
また、（１５，３）の補間対象部の補間データの生成には、図６の領域Ｌｂに含まれるＳＰ信号と、ＳＰ信号が位置するタップに応じた係数とを用いる。たとえば、図８に示すように、取出部４１ｄは２９タップに位置する（１，３）のＳＰ信号を取出し、係数選択器４３ｄはこのＳＰ信号が位置する２９タップに応じた係数ｋ３０を選択する。そして、乗算器４２ａ〜４２ｄは、入力されたＳＰ信号のデータと係数とを乗算し、乗算値を加算器４４に出力する。加算器４４が入力された乗算値を全て加算した加算値が補間データＨ（１５，３）となる。
【００４２】
したがって、出力される補間データＨ（１５，３）は数式２に示す演算を行い求められることとなる。
【数２】
2005033407.tif 000004
【００４３】
さらに、（１５，６）の補間対象部の補間データの生成には、図６の領域Ｌｃに含まれるＳＰ信号と、ＳＰ信号が位置するタップに応じた係数とを用いる。たとえば、図９に示すように、取出部４１ｄは２８タップに位置する（２，６）のＳＰ信号を取出し、係数選択器４３ｄはこのＳＰ信号が位置する２８タップに応じた係数ｋ２９を選択する。そして、乗算器４２ａ〜４２ｄは、入力されたＳＰ信号のデータと係数とを乗算し、乗算値を加算器４４に出力する。加算器４４が入力された乗算値を全て加算した加算値が補間データＨ（１５，６）となる。
【００４４】
したがって、出力される補間データＨ（１５，６）は数式３に示す演算を行い求められることとなる。
【数３】
2005033407.tif 000005
【００４５】
このように、シンボルフィルタ４０は、１５シンボル目の補間対象部について順次演算を行い、補間データを生成し出力する。そして、１５シンボル目の補間対象部の補間データを生成した後、１６シンボル目の補間対象部に対して補間データの生成を行う。図１０に示すように、補間対象となる１６シンボル目の信号が中心の１５タップに位置するよう信号が配置される。この場合、１シンボル目に位置するＳＰ信号に対しては係数ｋ３１が対応し、２シンボル目に位置するＳＰ信号に対しては係数ｋ３０が対応する。このため、シンボルフィルタ４０は、（１６，０）の補間対象部の補間データの生成する場合には、領域Ｌａ’のＳＰ信号とＳＰ信号が位置するタップに対応する係数とを用いる。たとえば、取出部４１ｄは（４，０）に位置するＳＰ信号を取出し、係数選択器４３ｄは係数ｋ２８を選択する。そして、乗算器４２ａ〜４２ｄは、入力されたＳＰ信号のデータと係数とを乗算し、それぞれ乗算値を加算器４４に出力する。加算器４４が入力された乗算値を全て加算した加算値が補間データＨ（１６，０）となる。なお、シンボルフィルタ４０の中心タップにＳＰ信号がある（１６，０）に対しては、生成した補間データとＳＰ信号とのいずれかを出力データとして選択することができる。また、０タップに位置する信号は、次のフレームの０シンボル目に位置する信号を用いる。
【００４６】
また、シンボルフィルタ４０が（１６，３）の補間対象部の補間データを生成する場合には、領域Ｌｂ’のＳＰ信号とＳＰ信号が位置するタップに対応する係数とを用い、（１６，６）の補間対象部の補間データを生成する場合には、領域Ｌｃ’のＳＰ信号とＳＰ信号が位置するタップに対応する係数とを用いる。
【００４７】
そして、シンボルフィルタ４０は、１６シンボル目の補間対象部の補間データを生成した後、１７シンボル目の補間対象部に対して補間データの生成を行う。図１１に示すように、補間対象となる１７シンボル目の信号が中心の１５タップに位置するよう配置される。そして、ＳＰ信号とＳＰ信号が位置するタップに対応する係数とを用いて、１７シンボル目の補間対象部に対して順次補間データを生成する。また、０タップと１タップとに位置する信号は、次のフレームの０シンボル目と１シンボル目とに位置する信号を用いる。
【００４８】
このように、シンボルフィルタ４０は、補間対象部と同一キャリアであって取出部４１ａ〜４１ｄが取出したＳＰ信号と、ＳＰ信号が位置するタップに応じた係数であって係数選択器４３ａ〜４３ｄが選択した係数とを用いて、補間対象部の補間データを生成し、生成した補間データをキャリアフィルタ５０に出力する。
【００４９】
そして、キャリアフィルタ５０は、ＳＰ信号とシンボルフィルタ４０が生成した補間データとを用いて、キャリア方向に補間データを生成する。図１２は、キャリアフィルタ５０の構成を示すブロック図である。図１２に示すように、キャリアフィルタ５０は、タップ数がｍであり、遅延素子Ｄ１〜Ｄｍ−１と、取出部５１ａ〜５１ｅと、乗算器５２ａ〜５２ｅと、係数選択器５３ａ〜５３ｅと、加算器５４とを備える。また、信号が入力される入力端子５５と、生成した補間データを出力する出力端子５６とを備える。ここで、取出部５１ａ〜５１ｅと、乗算器５２ａ〜５２ｅと、係数選択器５３ａ〜５３ｅとは３タップに１箇所の割合で配置する。ＳＰ信号とシンボルフィルタ４０が生成した補間データとは、キャリア方向に対して３個の信号のうち１個の割合で配置されているためである。なお、取出部５１ａ〜５１ｅと、乗算器５２ａ〜５２ｅと、係数選択器５３ａ〜５３ｅとは、総タップ数に応じて１タップまたは２タップに一箇所の割合で配置されるものもある。
【００５０】
取出部５１ａ〜５１ｅは、選択信号を受信して３個の信号からＳＰ信号を取出し、乗算器５２ａ〜５２ｅに取出したＳＰ信号を出力する。また、係数選択器５３ａ〜５３ｅは、３個の係数を有しており、選択信号を受信してＳＰ信号に対応する係数を選択し、乗算器５２ａ〜５２ｅに出力する。係数選択器５３ａ〜５３ｅが有する係数ｈ１〜ｈｍは、中心タップの補間対象部に対する補間データを算出するために予め設定されている。ここで、取出部５１と係数選択器５３とが受信する選択信号は、座標演算部２０から出力され、ＳＰ信号の配置位置を示すものである。そして、乗算器５２ａ〜５２ｅは、取出部５１ａ〜５１ｅが取出したＳＰ信号と係数選択器５３ａ〜５３ｅが選択した係数とを乗算し、乗算値を加算器５４に出力する。そして、加算器５４は、乗算器５２ａ〜５２ｅが出力した乗算値を全て加算する。キャリアフィルタ５０は、加算器５４が加算した加算値をキャリア方向の補間データとして出力する。なお、係数選択器５３は、図１３に示すように、選択信号を受信して、所定の係数の中から指示された係数を選択するマルチプレクサ５３１を備えた構造を有している。
【００５１】
つぎに、キャリアフィルタ５０が実際に行う演算処理について説明する。たとえば、タップ数が１７であるキャリアフィルタ５０が８キャリア目の補間対象部に対して補間データを生成する場合について説明する。
【００５２】
図１４は、キャリア方向の補間データ生成について説明するための図である。図１４には、キャリアフィルタ５０に入力される信号の配置パターン図とともに、各信号に対応するタップとその係数を示している。補間対象部は「○」であり、ＳＰ信号は「●」である。また、シンボルフィルタ４０が生成した補間データは「◎」である。キャリアフィルタ５０は、ＳＰ信号とともに、シンボルフィルタ４０が生成した補間データを用いて、補間対象部に対する補間データを生成する。そして、図１４に示すように、補間対象となる８キャリア目の信号が中心の８タップに位置するよう入力信号が配置される。この結果、たとえば、０キャリア目に位置するＳＰ信号と補間データ部に対しては係数ｈ１７が対応し、３キャリア目に位置するＳＰ信号と補間データ部に対しては係数ｈ１４が対応する。
【００５３】
ここで、（０，８）の補間対象部の補間データの生成には、補間対象部と同一シンボルである領域ＫａのＳＰ信号および補間データと、ＳＰ信号と補間データが位置するタップに対応する係数とを用いる。このため、（０，８）の補間対象部の補間データの生成には、（０，０）、（０，１２）のＳＰ信号と、（０，３）、（０，６）、（０，９）、（０，１５）の補間データと、このＳＰ信号および補間データが位置するタップに応じた係数ｈ１７、ｈ１４、ｈ１１、ｈ８、ｈ５、ｈ２とを用いる。したがって、図１５に示すように、取出部５１ａ〜５１ｅはＳＰ信号と補間データとを取出し、係数選択器５３ａ〜５３ｅは、ＳＰ信号と補間データとが位置するタップに応じた係数を選択する。たとえば、取出部５１ｅは１６タップに位置する（０，０）のＳＰ信号を取出し、係数選択器５３ｅはＳＰ信号が位置する１６タップに応じた係数ｈ１７を選択する。そして、乗算器５２ａ〜５２ｅは、入力されたＳＰ信号または補間データと係数とを乗算し、それぞれ乗算値を加算器５４に出力する。加算器５４が入力された乗算値を全て加算した加算値が補間データＨ（０，８）となる。
【００５４】
したがって、出力される補間データＨ（０，８）は、数式４に示す演算を行い求められることとなる。
【数４】
2005033407.tif 000006
【００５５】
また、キャリアフィルタ５０が（１，８）の補間対象部の補間データの生成する場合には、（１，８）と同一シンボルである領域ＫｂのＳＰ信号および補間データと、ＳＰ信号と補間データが位置するタップに応じた係数とを用いる。また、キャリアフィルタ５０が（２，８）の補間対象部の補間データの生成する場合には、（２，８）と同一シンボルである領域ＫｃのＳＰ信号および補間データと、ＳＰ信号と補間データとが位置するタップに応じた係数とを用いる。
【００５６】
このように、キャリアフィルタ５０は、８キャリア目の補間対象部について順次演算を行い、補間データを生成し出力する。そして、キャリアフィルタ５０は、８キャリア目の補間対象部に対して補間データを全て生成した後、９キャリア目の補間対象部に対して補間データの生成を行う。
【００５７】
図１６に示すように、次に補間対象となる９キャリア目の信号が中心の８タップに位置するよう信号が配置される。キャリアフィルタ５０は、（０，９）の補間対象部の補間データを生成する場合には、領域Ｋａ’のＳＰ信号または補間データとＳＰ信号が位置するタップに対応する係数とを用いる。この場合、３キャリア目に位置するＳＰ信号または補間データについては係数ｈ１５が対応し、６キャリア目に位置するＳＰ信号または補間データについては係数ｈ１２が対応する。このため、図１７に示すように、取出部５１ｅは（０，３）の補間データを取出し、係数選択器５３ｅは係数ｈ１５を選択する。そして、乗算器５２ａ〜５２ｅは、入力されたＳＰ信号のデータと係数とを乗算し、それぞれ乗算値を加算器５４に出力する。加算器５４が入力された乗算値を全て加算した加算値が補間データＨ（０，９）となる。
【００５８】
したがって、出力される補間データＨ（０，９）は、数式５に示す演算を行い求められることとなる。
【数５】
2005033407.tif 000007
なお、キャリアフィルタ５０の中心タップにＳＰ信号がある（０，９）に対しては、生成した補間データとＳＰ信号とのいずれかを出力データとして選択することができる。
【００５９】
また、（１，９）の補間対象部の補間データの生成には、（１，９）と同一シンボルである領域Ｋｂ’のＳＰ信号および補間データと、ＳＰ信号と補間データが位置するタップに応じた係数とを用いる。また、（２，９）の補間対象部の補間データの生成には、（２，９）と同一シンボルである領域Ｋｃ’のＳＰ信号と補間データと、ＳＰ信号と補間データとが位置するタップに応じた係数とを用いる。このように、キャリアフィルタ５０は、９キャリア目に位置する補間対象部について順次演算を行い、補間データを生成し出力する。そして、９キャリア目の補間対象部に対する補間データを全て生成した後、１０キャリア目の補間対象部について補間データの生成を行う。図１８に示すように、補間対象となる１０キャリア目の信号が、中心の８タップに位置するよう配置される。そして、ＳＰ信号とＳＰ信号が位置するタップに対応する係数とを用いて１０キャリア目の補間対象部に対して順次補間データを生成する。
【００６０】
このように、キャリアフィルタ５０は、取出部５１ａ〜５１ｅが取出したＳＰ信号および補間データと、係数選択器５３ａ〜５３ｅが選択した係数とを用いて、補間データを生成し、出力する。補間データ生成部８は、シンボルフィルタ４０とキャリアフィルタ５０とが生成した補間データを複素除算部９に出力する。複素除算部９は、補間データ生成部８から入力された補間データで、ＦＦＴバッファ７から入力されたデータ信号を除算することで等化後のデータを得る。
【００６１】
上述したように、本実施の形態におけるシンボルフィルタ４０およびキャリアフィルタ５０は、所定の割合で有効データが含まれることを利用し、係数選択器４３および係数選択器５３がその有効データに対応する係数を選択し各々の乗算器４２または乗算器５２に出力している。このため、係数毎に乗算器を備える必要はなく、乗算器４２および乗算器５２の個数を削減することが可能となる。また、０に対する乗算処理を行っていないため、不要な演算処理を排除することが可能となる。したがって、本実施の形態では、回路構成の削減を図ったデジタルフィルタを備えたＯＦＤＭ伝送方式用の受信装置を提供することが可能となる。
【００６２】
なお、係数選択器４３ａとしてマルチプレクサを備えた構造を説明したが、これに限らず、図１９に示すように、フリップフロック４８１ａ〜４８１ｄを係数の個数と同数備えたシフトレジスタ形式の係数選択器４８ａとしてもよい。シンボルフィルタ４０の場合には、４個の係数を備えるため４個のフリップフロック４８１ａ〜４８１ｄを備えた係数選択器４８ａとすることを要する。また、キャリアフィルタ５０の場合には、３個の係数を備えるため、図２０に示すように、３個のフリップフロック５８１ａ〜５８１ｃを備えたシフトレジスタ形式の係数選択器５８ａとする必要がある。係数選択器４８および係数選択器５８は、選択信号の受信間隔に同期して、選択順に配置した係数を順次シフトすることによって、係数を出力する。
【００６３】
また、上述の説明では、シンボルフィルタ４０においては、１５シンボル目に位置する補間対象部に対して補間データを生成する場合について説明した。０シンボル目に位置する補間対象部に対して補間データを生成する場合には、現フレームの１フレーム前のＳＰ信号を用いて補間データを生成する。また、３０シンボル目に位置する補間対象部に対して補間データを生成する場合には、現フレームの次のフレームのＳＰ信号を用いて補間データを生成する。これは、キャリアフィルタ５０においても同様である。さらに、キャリアフィルタ５０では、先頭のフレームの０キャリア目の補間対象部に対して補間データを生成する場合には、ＳＰが存在しないため空となるタップができる。このタップに対しては、０キャリア目のＳＰ信号およびシンボルフィルタ４０で生成した補間データを仮想的に拡張して配置することによって、補正データを生成することもできる。これは、キャリアの終わりも同様であり、この場合には、ＳＰ信号のほか、ＣＰ信号を仮想的に拡張して使用することもできる。
【００６４】
また、図１に示す受信装置は、補間データ生成部８がＦＦＴ演算部６から出力されたＯＦＤＭ信号を読み出しているが、これに限らず、図２１に示すように、ＦＦＴ演算部６１がＦＦＴ演算を行ったＯＦＤＭ信号からパイロット信号を抽出し、抽出したパイロット信号を補間データ生成部６８に出力するとしてもよい。この場合、ＦＦＴ演算部６１は、ＯＦＤＭ信号に含まれるＳＰ信号の配置位置を演算する座標演算部６２と、このＳＰ信号をＯＦＤＭ信号から抽出するＳＰ抽出部６３とを備えた構造を有する。座標演算部６２は、図２２に示すように、１３段シフトレジスタ２１と、乗算器２２と、絶対値検出部２３と、メモリ２４と、最大値検出部２５と、シンボルカウンタ２６ａとキャリアカウンタ２６ｂとを有する座標演算部２６とを備え、ＳＰ信号の配置位置を演算する。そして、ＳＰ抽出部６３は、座標演算部２６が演算した配置位置に基づいてＯＦＤＭ信号からＳＰ信号を抽出し、データ信号とＳＰ信号とを分離する。ＦＦＴ演算部６１は、抽出したＳＰ信号を補間データ生成部６８に出力し、データ信号をＦＦＴバッファ７に出力する。ここで、ＦＦＴ演算部６１は補間データ生成部６８にはＳＰ信号のみを出力するとしてもよいし、ＳＰ信号以外の箇所に０信号を置き換え、この０信号とＳＰ信号とを出力するとしてもよい。また、補間データ生成部６８は、配置位置が演算されたＳＰ信号が入力されるため、ＳＰ信号の配置位置を演算する必要はない。このため、補間データ生成部６８は、入力されたＳＰ信号を保持するメモリ３０と、シンボルフィルタ４０とキャリアフィルタ５０とを備えた補間フィルタ６０とを有する構造となる。
【００６５】
また、図４に示すシンボルフィルタ４０は、０信号とＳＰ信号を含むデータを遅延素子Ｄ１〜Ｄｎ−１が順次シフトさせ演算処理を進めているが、これに限らず、図２３に示すように、ＳＰ信号を保持するメモリ３０から直接ＳＰ信号を取出す取出部７１を備えるシンボルフィルタ７０でもよい。取出し部７１は、選択信号の指示にしたがいメモリ３０からＳＰ信号を取出し、ＳＰ信号に対応するタップに応じた乗算器４２に取出したＳＰ信号を出力する。この場合、メモリ３０には、ＳＰ信号と０信号とが保持されているほか、ＳＰ信号のみが保持されていてもよい。ＳＰ信号の配置位置が明確であれば足りる。
【００６６】
また、図１２に示すキャリアフィルタ５０に限らず、図２３に示すように、メモリ８１と取出部８２とを備えたキャリアフィルタ８０でもよい。メモリ８１はＳＰ信号とシンボルフィルタ４０またはシンボルフィルタ７０が生成した補間データとを保持し、取出部８２はメモリ８１から直接必要なデータを取出す。
【００６７】
【発明の効果】
以上説明したように、本発明によれば、有効データが位置するタップに応じた係数を選択する係数選択器を備えることによって、不要な演算処理を排除し、回路構成の削減を図った補間フィルタを備えたＯＦＤＭ用の受信装置と回路構成の削減を図ったフィルタ装置を実現することが可能となるという効果を奏する。
【図面の簡単な説明】
【図１】本実施の形態であるＯＦＤＭ信号の受信装置の概要構成を示すブロック図である。
【図２】ＯＦＤＭ信号を説明するための配置パターン図である。
【図３】座標演算部の構成を示すブロック図である。
【図４】シンボルフィルタの構成を示す説明図である。
【図５】係数選択器の構成を示す説明図である。
【図６】シンボル方向の補間データ生成について説明するための図である。
【図７】シンボルフィルタが補間データを生成する際の入力データの流れを示す図である。
【図８】シンボルフィルタが補間データを生成する際の入力データの流れを示す図である。
【図９】シンボルフィルタが補間データを生成する際の入力データの流れを示す図である。
【図１０】シンボル方向の補間データ生成について説明するための図である。
【図１１】シンボル方向の補間データ生成について説明するための図である。
【図１２】キャリアフィルタの構成を示す説明図である。
【図１３】係数選択器の構成を示す説明図である。
【図１４】キャリア方向の補間データ生成について説明するための図である。
【図１５】キャリアフィルタが補間データを生成する際の入力データの流れを示す図である。
【図１６】キャリア方向の補間データ生成について説明するための図である。
【図１７】キャリアフィルタが補間データを生成する際の入力データの流れを示す図である。
【図１８】キャリア方向の補間データ生成について説明するための図である。
【図１９】係数選択器の構成を示す説明図の他の例である。
【図２０】係数選択器の構成を示す説明図の他の例である。
【図２１】本実施の形態であるＯＦＤＭ信号の受信装置の概要構成を示すブロック図の他の例である。
【図２２】座標演算部の構成を示すブロック図である。
【図２３】シンボルフィルタの構成を示す説明図の他の例である。
【図２４】キャリアフィルタの構成を示す説明図の他の例である。
【図２５】従来技術におけるＯＦＤＭ信号の受信装置の腰部の構成を示すブロック図である。
【図２６】従来技術における補間フィルタの構成を示す説明図である。
【符号の説明】
１    受信装置
２    アンテナ
３    チューナ
４    Ａ／Ｄ変換部
５    デジタル直交復調部
６、６１    ＦＦＴ演算部
７    ＦＦＴバッファ
７ａ    メモリ
８、６８    補間データ生成部
９    複素除算部
１０    モニタ
２０    座標演算部
２１    １３段シフトレジスタ
２２    乗算器
２３    絶対値検出部
２４    メモリ
２５    最大値検出部
２６    座標計算部
２６ａ    シンボルカウンタ
２６ｂ    キャリアカウンタ
２７    抽出部
３０、８１    メモリ
４０、７０    シンボルフィルタ
４１ａ、４１ｂ、４１ｃ、４１ｄ、７１    取出部
４２ａ、４２ｂ、４２ｃ、４２ｄ    乗算器
４３ａ、４３ｂ、４３ｃ、４３ｄ    係数選択器
４３１、５３１    マルチプレクサ
４４、５４    加算器
４５、５５    入力端子
４６、５６    出力端子
４８ａ    係数選択器
４８１ａ、４８１ｂ、４８１ｃ、４８１ｄ    フリップフロック
５０、８０    キャリアフィルタ
５１ａ、５１ｂ、５１ｃ、５１ｄ、５１ｅ、８２    取出部
５２ａ、５２ｂ、５２ｃ、５２ｄ、５２ｅ    乗算器
５３ａ、５３ｂ、５３ｃ、５３ｄ、５３ｅ    係数選択器
５８ａ    係数選択器
５８１ａ、５８１ｂ、５８１ｃ    フリップフロック
６０    補間フィルタ
６３    ＳＰ抽出部
１０１    ＦＦＴ演算部
１０２    補間データ生成部
１０３    シンボルフィルタ
１０４    キャリアフィルタ
１０５    ＦＦＴバッファ
１０６    複素除算器
１１０    ＦＩＲフィルタ
１１１ａ、１１１ｂ、１１１ｃ、１１１ｄ、１１１ｅ    遅延素子
１１２ａ〜１１２ｇ    乗算器
１１４    加算器
Ｄ１〜Ｄｎ−１、Ｄ１〜Ｄｍ−１    遅延素子
【図１】
2005033407.tif 000008
【図２】
2005033407.tif 000009
【図３】
2005033407.tif 000010
【図４】
2005033407.tif 000011
【図５】
2005033407.tif 000012
【図６】
2005033407.tif 000013
【図７】
2005033407.tif 000014
【図８】
2005033407.tif 000015
【図９】
2005033407.tif 000016
【図１０】
2005033407.tif 000017
【図１１】
2005033407.tif 000018
【図１２】
2005033407.tif 000019
【図１３】
2005033407.tif 000020
【図１４】
2005033407.tif 000021
【図１５】
2005033407.tif 000022
【図１６】
2005033407.tif 000023
【図１７】
2005033407.tif 000024
【図１８】
2005033407.tif 000025
【図１９】
2005033407.tif 000026
【図２０】
2005033407.tif 000027
【図２１】
2005033407.tif 000028
【図２２】
2005033407.tif 000029
【図２３】
2005033407.tif 000030
【図２４】
2005033407.tif 000031
【図２５】
2005033407.tif 000032
【図２６】
2005033407.tif 000033